(57)【要約】【課題】セル間の接続が断線した場合に、電圧検出回路の耐圧を当該回路に過渡的に加わる電圧以上にすることで、安全性を確保可能な電池システムを提供する。【解決手段】３個のセルが直列に接続されたモジュール内には、各セルの電圧を測定する電池電圧検出部２が設けられ、各セルに対応する電池１ａ〜１ｃが当該電池電圧検出部２にセル電圧の計測線３ａ〜３ｄを介して接続されている。この電池電圧検出部２には、高耐圧の当該電池電圧検出部２を構成するために一例として高耐圧コンデンサ４ａ〜４ｃが配設され、特に、当該高耐圧コンデンサ４ａ〜４ｃとしてセルの電池電圧の３倍以上の耐圧のものが使用されている。【選択図】図１
2010054442.tif 000002
【特許請求の範囲】
【請求項１】
モジュール内に直列に接続された複数の電池と前記各電池の電圧を検出する電圧検出回路を備えた電池システムにおいて、
前記電圧検出回路は、前記各電池の電圧の３倍以上の耐圧を有することを特徴とする電池システム。
【請求項２】
前記電圧検出回路は、高耐圧用のコンデンサを有することを特徴とする請求項１に記載の電池システム。
【請求項３】
複数の前記モジュールが、直列に接続されていることを特徴とする請求項１に記載の電池システム。
【発明の詳細な説明】
【技術分野】
【０００１】
本発明は、１以上の単セルからなる組電池を使用した電池システムに係り、特に各電池電圧を検出する高耐圧特性の電圧検出回路を備えた電池システムに関する。
【背景技術】
【０００２】
近年、高電圧での充放電を可能とすべく蓄電池を有する単セルが多数直列に接続された組電池が製造されている。この組電池は、パーソナルコンピュータ等の移動体に内蔵する電源や、電気自動車、燃料電池自動車やハイブリッドカーの動力源又は補助動力源である電動モータに使用されている。
【０００３】
この組電池に使用する電池には高電圧及び高出力を実現するために、特に、リチウムイオン電池が用いられるが、当該電池は、キャパシタ等と比較して格段に大きなエネルギーを蓄えることができるので、電池自体及び電池の周辺回路の安全性を十分に確保する必要がある。
【０００４】
ここで、電池の安全性を確保するために、各セル、あるいは組電池全体の電圧を監視することで過充電及び過放電を防止する電池システムの開発が行われている。特に、リチウムイオン電池を採用する場合では、過充電や過放電が生じることにより電池間の接続線等が断線し、電池の発火や発煙までに至るケースも想定されるため、組電池内の直列に接続した各セルの電圧を検出することによりセル単位で異常電圧の抑制を図っている。
【０００５】
そのため、組電池を構成するセル毎の電圧を検出する電子回路が必要であり、具体的には、コンデンサ、スイッチやオペアンプ等で構成された電圧検出回路が利用され、さらに、マイクロコンピュータにより充放電を監視することも多く、この場合の電圧検出回路にはアナログ−デジタル変換器も使用される。また、複数セルの電圧を検出するにあたり多くの電気回路素子が必要となるので、回路の小型化、信頼性向上、低コスト化等の要望を加味し、このような電圧検出回路を搭載した集積回路も開発されている。
【０００６】
なお、従来技術として、例えば、直列接続された複数の単電池からなるモジュールを監視する電池用保護ＩＣが提案されており（特許文献１参照）、電池の充電時において、モジュール内のいずれかの電池の端子電圧が所定値以上になった場合に、過充電状態と判定し過電圧信号を出力する過電圧検出回路と、放電時において、モジュール内のいずれかの電池の端子電圧が所定値以下になった場合に、過放電状態と判定し過放電信号を出力する過放電検出回路と、が配設されている。さらに、この電池保護ＩＣは、過電圧信号を検出した際にオンすることにより通報可能な第１スイッチと、過放電信号を検出した際にオンすることにより通報可能な第２スイッチとを備えている。
【特許文献１】特開２００５−１１７７８０号公報
【発明の開示】
【発明が解決しようとする課題】
【０００７】
ところで、上記のような過充電及び放電を防止する電池システムによれば、各セルには端子電圧が電圧検出回路の許容電圧範囲内に収まる電池が使用され、この許容電圧範囲内でしか電圧の変動は許されない。このことから、電圧検出回路における電圧を検出する範囲は、下限は０Ｖから上限は電池の上限電圧を数Ｖ程度上回るものとし、例えば、リチウムイオン電池では単セル当たり２．８Ｖ〜４．５Ｖ程度の値が上限電圧であるため、この検出範囲が約３．５Ｖ〜５Ｖ程度となる。
【０００８】
しかしながら、例えば、このような電池をパーソナルコンピュータ等の移動体に搭載する場合において、振動などが生じることにより、当該移動体からの落下や他の部品と擦動することも想定され、電池間の接続線や電池電圧を検出するＩＣとの検出線の断線により過電流が流れることで短絡状態が生じる可能性がある。
【０００９】
また、自動車等の車両に電動モータの動力源として搭載する場合には、振動が継続する走行状態で長期間に亘り使用されるので、配線の断裂や部品の擦動により、部品のズレや回路の短絡が生じる可能性がある。これにより、電圧検出回路に異常な電圧や電流が流れることで、回路部品等が発火や発煙したり、自動車の運転に際し著しく支障が生じる場合がある。
【００１０】
特に、セル間の接続が断線した場合には、電圧検出回路の耐圧を超える異常電圧がこの電圧検出回路に加わってしまい、検出回路の短絡が生じる他、回路部品や回路基板が発熱、発煙する。また、場合によっては発火する可能性もある。
【００１１】
例えば、図２のように、３個のセルを直列に接続し、各セルの電池１ａ〜１ｃの電圧を検出する電圧検出回路を有する電池保護ＩＣ２´を備えた電池システムにおいて、セル間の接続が断線した場合を説明する。
【００１２】
この電池保護ＩＣ２´は、高電位側の電池１ｃと低電位側の電池１ａに接続された電源線５ｂ、ａを通じて電気供給を受けることで動作し、内蔵される電圧検出回路により、各セルの電池１ａ〜１ｃの電圧を計測線３ｂ〜３ｄを通じてそれぞれ検出する。なお、電池保護ＩＣ２´は、また、電圧検出回路により各電池セルの電圧を監視することで、電池の過充電及び放電状態を検知し、その電圧情報を制御部６に送信する機能を有している。
【００１３】
ここで、図２の通り、計測線３ｂが断線した場合には、一般的に、隣接する計測線３ａに接触する可能性が高く、断線した計測線３ｂが計測線３ａに接触すると、計測線３ｂを通じて検出されていた電圧Ｖｄ１は０Ｖとなる。また、一端が電池１ｂと電池１ｃ間に接続され、他端が電池保護ＩＣ２´に接続された計測線３ｃを通じて検出される電圧Ｖｄ２は、電池１ｂと電池１ｃの合計電圧となる。
【００１４】
すなわち、各セルの電池１ａ〜１ｃに同電圧の電池を使用している場合には、計測線３ｃを通じて電圧Ｖｄ２を検出する電圧検出回路には、各セルの電池電圧の２倍の電圧が加わることになる。例えば、高充電状態にあった電池１ａ〜１ｃの各電圧が５Ｖの場合に、計測線３ｂが断線することで上記のような事象が生じると、計測線３ｃを通じて検出される電圧Ｖｄ２は１０Ｖとなる。
【００１５】
そのため、電池保護ＩＣ２´の各セルの電池１ａ〜１ｃの電圧を検出する電圧検出回路において、電圧計測入力に対する耐圧が各セルにかかる最大電圧の２倍以下である場合には、この電圧検出回路に過剰の電圧が加わることになり、電圧破壊を引き起こす。これにより、電池保護ＩＣ２´が破壊され、当該電池保護ＩＣ２´の発火、破裂や計測線の焼損等を引き起こし、さらには、電池システム全体も発熱し得る。また、発火等により高エネルギーを保持する電池の短絡も生じる。
【００１６】
なお、上述した通り、各電池１ａ〜１ｃの電圧を検出する電圧検出回路の電圧検出範囲は、電池セルの通常の電圧変動範囲に基づいて設計するものであり、この電圧検出範囲を広くすることで、電圧検出回路に加わる過電圧に対応することも可能であるが、広すぎる電圧検出範囲は、電圧の検出精度を著しく低下させてしまう。
【００１７】
本発明は、上記の課題を解消するために提案されたものであって、その目的は、セル間の接続が断線した場合に、電圧検出回路の耐圧を当該回路に過渡的に加わる電圧以上にすることで、安全性を確保可能な電池システムを提供することにある。
【課題を解決するための手段】
【００１８】
上述した目的を達成するために、本発明は、モジュール内に直列に接続された複数の電池と前記各電池の電圧を検出する電圧検出回路を備えた電池システムにおいて、前記電圧検出回路は、前記各電池の電圧の３倍以上の耐圧を有することを特徴とする。
【００１９】
以上のような態様では、電池に繋がれた計測線のいずれかが断線し、断線した計測線の一端が他の計測線に接続され、電圧検出回路に両計測線を通っていた電圧、すなわち、各電池電圧の２倍の電圧が加わった場合であっても、電圧検出回路は、各電池の電圧の３倍の耐圧を有することから、電池システムの破損を防止することができる。すなわち、各セル電池電圧の２倍の過電圧が加わろうとも電圧検出回路の耐圧内であり、当該電圧検出回路を構成するディスクリート素子やＩＣが破壊することはない。
【００２０】
また、電圧検出回路が高耐圧であるため、数百Ｖの高電圧が要求され、多数の電池が必要となるハイブリッドカーや電気自動車に搭載する場合であっても安全性を確保でき、製品の信頼性の向上にも繋がる。
【００２１】
本発明は、前記電圧検出回路が、高耐圧用のコンデンサを有することを特徴とする点も一態様とする。
【００２２】
このような態様では、高耐圧を実現するために、電圧検出回路を構成する素子自体を高耐圧用にするだけでなく、高耐圧用のコンデンサを採用することで、各電池の電圧の３倍以上の耐圧を実現している。これにより、上述したように、突如過電圧が加わろうとも電圧検出回路の耐圧内であるとして当該電圧検出回路の破損等を防止することが可能となる。
【発明の効果】
【００２３】
以上のような本発明によれば、電池に繋がれた計測線のいずれかが断線し、断線した計測線の一端が他の計測線に接続され、電圧検出回路に両計測線を通っていた電圧、すなわち、各電池電圧の２倍の電圧が加わった場合であっても、電圧検出回路は、各電池の電圧の３倍の耐圧を有することから、当該回路の破損を防止可能な電池システムを提供することができる。つまり、各セル電池電圧の２倍の過電圧が加わろうとも電圧検出回路の耐圧内であり、当該電圧検出回路を構成するディスクリート素子やＩＣは破壊されることはなく、短絡電流が流れることで生じる回路部品、ＩＣ及び回路パターン等の発熱、発煙、発火を抑制することが可能となる。
【００２４】
また、電圧検出回路が高耐圧であるため、数百Ｖの高電圧が要求され、多数の電池が必要となるハイブリッドカーや電気自動車に搭載する場合であっても安全性を確保でき、製品の信頼性を向上させることができる。
【発明を実施するための最良の形態】
【００２５】
［本実施形態］
次に、本実施形態に係る電池システムを図１を参照して説明する。なお、下記で示す電池の数、セルの数、セル電圧は任意であるものとし、図１のような形態に限定するものではない。また、図２に示す構成と同様のものについては説明を省略し、同じ符号を付している。
【００２６】
図１では、電池１ａ〜１ｃを各々有する３個のセルが直列に接続されたモジュールが配設されており、各セルの電圧が３．６Ｖであるリチウム電池を使用したケースを例にとる。図示しないが、実際には１以上のモジュールが直列に接続されている。
【００２７】
本実施形態では、後述するが、セル電池の電圧を検出する電池電圧検出部２（電圧検出回路に対応する。）の耐圧を各電池セルの電圧の検出範囲に対して３倍以上とする点に特徴を有している。
【００２８】
図１の通り、３個のセルが直列に接続されたモジュール内には、各セルの電圧を測定する電池電圧検出部２（電圧検出回路に対応する。）が設けられ、各セルに対応する電池１ａ〜１ｃが当該電池電圧検出部２にセル電圧の計測線３ａ〜３ｄを介して接続されている。この電池電圧検出部２は、ディスクリート素子で構成した回路とＩＣ化した回路から構成されている。
【００２９】
この電池電圧検出部２には、高耐圧の当該電池電圧検出部２を構成するために一例として高耐圧コンデンサ４ａ〜４ｃが配設されている。この高耐圧コンデンサ４ａ〜４ｃにより電池電圧検出部２は、過電圧が付加されていても耐圧内となる。
【００３０】
特に、本実施形態では、各セルの電池電圧の３倍以上の高耐圧コンデンサ４ａ〜４ｃを使用する。図１によれば、各電池電圧は、３．６Ｖであるため、この高耐圧コンデンサ４ａ〜４ｃには、耐圧が１０．８Ｖ以上のものを採用している。
【００３１】
また、電池電圧検出部２の両端には、モジュール内の電池セル１ａの低電位側と電池セル１ｃの高電位側に各々繋がる電源線５ａ、５ｂが接続され、さらに、電源ＶＤＤと接地ＧＮＤにも接続されている。
【００３２】
そして、この電池電圧検出部２により検出された電池電圧が制御部６に送信され、当該制御部６でこの送られてきた電圧値によりセル間の断線を判断する。つまり、この制御部６においてセル間の断線を検知すれば、電池１ａ〜１ｃへの充放電を停止するよう制御可能である。また、制御部６では、断線状態を検知せずとも、電池電圧検出部２を通じて検出された電圧に基づいて電池１ａ〜１ｃへの充放電を制御する。
【００３３】
以上のような構成を有する電池システムによれば、セル電圧の計測線３ａ〜３ｄのいずれかが断線し、断線した計測線の一端が他の計測線に接続され、電池電圧検出部２に両計測線を通っていた電池電圧、すなわち、各電池セルの電圧の２倍の電圧が加わろうとも、電池電圧検出部２に各セルの電池電圧の３倍の耐圧を有する高耐圧コンデンサ４ａ〜４ｃを備えているので、当該電池システムの過電圧による破損を防止することができる。すなわち、各セルの電池電圧の２倍の過電圧が加わろうとも電池電圧検出部２の耐圧内であり、当該電池電圧検出部２内のＩＣが破壊することはない。
【００３４】
また、電池電圧検出部２を高耐圧とすることにより、数百Ｖの高電圧が要求され、多数の電池が必要となるハイブリッドカーや電気自動車に搭載する場合であっても安全性を確保でき、製品の信頼性の向上にも繋がる。
【００３５】
［他の実施形態］
なお、本発明は、上記のような高耐圧のコンデンサ４ａ〜４ｃを電池電圧検出部２に配設することにより当該電池電圧検出部２の耐圧を高める実施形態に限定するものではなく、この電池電圧検出部２を構成する回路自体に高耐圧の素子を採用し、当該検出部２の耐圧を向上させる実施形態も包含する。つまり、本発明における電池電圧検出部２は、各電池電圧の３倍以上の耐圧を実現可能であれば、如何様に構成された電圧検出回路であっても構わない。
【図面の簡単な説明】
【００３６】
【図１】本発明の実施形態に係る構成ブロック図
【図２】従来技術を示す構成ブロック図（セル間で断線した場合）
【符号の説明】
【００３７】
１ａ〜１ｃ…電池
２…電池電圧検出部
２´…電池保護ＩＣ
３ａ〜３ｃ…計測線
４ａ〜４ｃ…高耐圧コンデンサ
５ａ、ｂ…電源線
６…制御部
【図１】
2010054442.tif 000003
【図２】
2010054442.tif 000004